(57)【要約】【課題】効率的なホース管理を行うと共に、ホースの使用時におけるＩＤタグの損傷を防止することを可能にした消防ホースを提供する。【解決手段】ホース本体１と、ホース本体１の両端部にそれぞれ取り付けられた一対の雄継手３と雌継手４からなる連結金具２とを有し、雌継手４の外周上に円環状の保護バンド５が付設された消防ホースにおいて、保護バンド５の内部にＲＦＩＤ用のＩＤタグ６が設置されている。【選択図】図１
2020039422.tif 000002
【特許請求の範囲】
【請求項１】
ホース本体と、該ホース本体の両端部にそれぞれ取り付けられた一対の雄継手と雌継手からなる連結金具とを有し、前記雌継手の外周上に円環状の保護バンドが付設された消防ホースにおいて、前記保護バンドの内部にＲＦＩＤ用のＩＤタグが設置されていることを特徴とする消防ホース。
【請求項２】
前記ＩＤタグが電源を持たないパッシブ型タグであることを特徴とする請求項１に記載の消防ホース。
【請求項３】
前記ＩＤタグが前記保護バンドの内周面に形成された段差部に配置されていることを特徴とする請求項１又は２に記載の消防ホース。
【請求項４】
前記ＩＤタグが樹脂により被覆された状態で前記段差部に固定されていることを特徴とする請求項３に記載の消防ホース。
【請求項５】
前記ＩＤタグが前記保護バンドの内部に埋設されていることを特徴とする請求項１に記載の消防ホース。
【発明の詳細な説明】
【技術分野】
【０００１】
本発明は、消防ホースに関し、更に詳しくは、効率的なホース管理を行うと共に、ホースの使用時におけるＩＤタグの損傷を防止することを可能にした消防ホースに関する。
【背景技術】
【０００２】
消防ホースは使用の有無にかかわらず経時的に劣化するため、所定の耐用年数が設定されている。保守点検者は、ホース上に印字された製造年月を確認する必要があるため、その確認作業には手間と時間が掛かる。また、ホース上に印字された製造年月はホースの使用に伴って消滅してしまう場合がある。そのため、印字された情報に基づいてホース管理を効率良く行うことは困難である。
【０００３】
これに対して、効率的なホース管理を行うために、ホース本体の両端部にそれぞれ連結金具を取り付け、ホース本体の端部の外周側に筒状の袴を設けた消防ホースにおいて、ホース本体と袴との間の部位にＲＦＩＤ用のＩＤタグが配置されたものが提案されている（例えば、特許文献１参照）。上述した特許文献１に記載の消防ホースによれば、ＩＤタグを利用してホース管理を効果的に行うことができる。しかしながら、消防ホースの使用時にはホース本体が伸び縮みするため、そうしたホース本体の変形によりＩＤタグが損傷するという問題がある。
【先行技術文献】
【特許文献】
【０００４】
【特許文献１】特許第４１７５４７１号公報
【発明の概要】
【発明が解決しようとする課題】
【０００５】
本発明の目的は、効率的なホース管理を行うと共に、ホースの使用時におけるＩＤタグの損傷を防止することを可能にした消防ホースを提供することにある。
【課題を解決するための手段】
【０００６】
上記目的を達成するための本発明の消防ホースは、ホース本体と、該ホース本体の両端部にそれぞれ取り付けられた一対の雄継手と雌継手からなる連結金具とを有し、前記雌継手の外周上に円環状の保護バンドが付設された消防ホースにおいて、前記保護バンドの内部にＲＦＩＤ用のＩＤタグが設置されていることを特徴とするものである。
【発明の効果】
【０００７】
本発明では、ホース本体と、そのホース本体の両端部にそれぞれ取り付けられた一対の雄継手と雌継手からなる連結金具とを有し、雌継手の外周上に円環状の保護バンドが付設された消防ホースにおいて、保護バンドの内部にＲＦＩＤ用のＩＤタグが設置されているので、リーダライタで読み取るだけの簡単な操作により、効率的なホース管理を行うことができる。また、保護バンドは雌継手の外周に密着して雌継手を保護する機能を有しており、ホースの使用時においても耐久性に優れているため、その保護バンドの内部に配置されたＩＤタグの損傷を防止することができる。
【０００８】
本発明では、ＩＤタグは電源を持たないパッシブ型タグであることが好ましい。パッシブ型タグの場合、電源を内蔵するアクティブ型タグに比べてＩＤタグの寸法を小さくすることができるので、保護バンドの耐久性を過度に低下させることがない。また、電源（電池）を必要としないため、長期間にわたって効率的なホース管理を行うことができる。
【０００９】
本発明では、ＩＤタグは保護バンドの内周面に形成された段差部に配置されていることが好ましい。これにより、ＩＤタグを保護バンドに固定する作業が容易になり、ホースの生産性を向上させることができる。
【００１０】
本発明では、ＩＤタグが樹脂により被覆された状態で段差部に固定されていることが好ましい。ＩＤタグを樹脂により被覆することで、ＩＤタグに防水性を付加することができると共に、ＩＤタグの周辺に配置された金属製部品との電波干渉を回避することができる。
【００１１】
本発明では、ＩＤタグは保護バンドの内部に埋設されていることが好ましい。ＩＤタグを保護バンドの内部に埋設することで、ＩＤタグを水から保護することができると共に、Ｄタグの周辺に配置された金属製部品との電波干渉を回避することができる。
【図面の簡単な説明】
【００１２】
【図１】本発明の実施形態からなる消防ホースの両端部を示す正面図である。
【図２】本発明の実施形態からなる消防ホースの連結金具を一部断面にして示す正面図である。
【図３】本発明の実施形態からなる消防ホースの保護バンドの一例を示す斜視図である。
【図４】図２の保護バンドの一部を切り欠いて示す断面図である。
【図５】本発明の実施形態からなる消防ホースの保護バンドの変形例を示す断面図である。
【発明を実施するための形態】
【００１３】
以下、本発明の構成について添付の図面を参照しながら詳細に説明する。 図１は本発明の実施形態からなる消防ホースを示すものである。図２は本発明の実施形態からなる消防ホースの連結金具を示すものである。図３及び図４は本発明の実施形態からなる消防ホースの保護バンドを示すものである。なお、図１は、本実施形態の消防ホースにおいてホース本体の長手方向の中間部分を省略して示している。
【００１４】
図１及び図２に示すように、本実施形態の消防ホース１０において、ホース本体１の両端部にそれぞれ差込式の連結金具２が取り付けられている。この連結金具２は一対の金属製の雄継手３と雌継手４から構成される。これら雄継手３と雌継手４は、それぞれ複数の構成部品を含んでいる。雄継手３及び雌継手４には、それぞれ段状のホース装着部３ａ，４ａが設けられており、ホース装着部３ａ，４ａにホース本体１の両端部がそれぞれ外挿されている。ホース装着部３ａ，４ａに対してホース本体１を固定する方法として、例えば、ホース本体１の外側にワイヤを連続的に巻き付ける方法や、金属製リングにより外側から圧着する方法、ホース本体１の内側に金属製リングを挿入し、この金属製リングを機械的に押し広げる方法を適宜用いることができる。
【００１５】
一方の消防ホースの雄継手３を他方の消防ホースの雌継手４に差し込むことによって、雄継手３の先端部３ｂと雌継手４のつめ４ｂとが嵌合し、一方の消防ホースと他方の消防ホースとを連結することができる。その際に、雌継手４のゴムパッキン４ｃが雄継手３の外周面を押すことによって、雄継手３と雌継手４の連結部における気密性が確保される。このような連結作業を繰り返し行なうことで複数本の消防ホースを１本の連続したホースとして使用することができる。一方、雄継手３と雌継手４とが連結された状態において、雄継手３の先端部３ｂに向かって押し輪３ｃをスライドさせることによって、押し輪３ｃが雌継手４のつめ４ｂを押し上げるので、雄継手３を引き抜くことで雄継手３と雌継手４との結合を解除することができる。このように消防ホース１０は結合及び解除を容易に行うことできる。
【００１６】
上記消防ホースにおいて、雌継手４の外周上には円環状の保護バンド５が付設されている。保護バンド５は、雌継手４の保護のためのゴム製の部材であり、ホースの使用時において耐久性に優れた特性を有している。この保護バンド５の内部には、ホースの情報（データ）を入力することができるＲＦＩＤ用のＩＤタグ６が貼り付けられている。ＩＤタグ６が保護バンド５の内部に配置されることで、ＩＤタグ６が外部障害物に直接に接触しないように保護することができる。
【００１７】
本発明において、ＲＦＩＤ（Radio Frequency-Identification:電波方式認識）とは、アンテナとコントローラとを有するリーダライタと、データを記憶するＩＣチップとデータを非接触で送受信するアンテナとを回路基板上に有するＩＤタグとから構成され、無線方式によりデータを交信可能な自動認識技術をいう。ＲＦＩＤ用のＩＤタグには、タグ自身が電源を内蔵して自ら電波を飛ばすアクティブ型タグと、タグ自身が電源を内蔵せずに、リーダライタ側が接近したときの電磁波により誘電して電波を飛ばすようにしたパッシブ型タグとがある。本発明に使用するＩＤタグ６には、アクティブ型タグ又はパッシブ型タグのいずれかを適宜使用することができる。
【００１８】
ＩＤタグ６は、円環状の保護バンド５の内部に配置されることから、保護バンド５の形状に沿うように、硬質な材料ではなく柔軟性に優れた軟質な材料により覆われていることが好ましい。具体的には、ＩＤタグ６を被覆する材料として紙、合成樹脂、合成ゴムを用いることができる。合成樹脂としてはポリエチレンテレフタレート（ＰＥＴ）、ポリプロピレン（ＰＰ）を例示することができ、合成ゴムとしてはウレタンゴム、シリコーンゴムを例示することができる。
【００１９】
ＩＤタグ６に入力するホースの情報として、ホースの品名、口径、使用圧力、届出番号、製造年月、購入年月、所属消防署、積載消防車番号を例示することができる。
【００２０】
図３及び図４に示すように、保護バンド５の内周面５ａには凹部となる段差部５０が形成され、この段差部５０にＩＤタグ６が配置されている。図３及び図４において、段差部５０は保護バンド５の周方向に沿って湾曲した形状を有している。段差部５０は、保護バンド５の耐久性を過度に低下させないために、保護バンド５の寸法に対して、内周面５ａ上の周方向長さを１／９〜１／３とし、幅（保護バンド５の軸方向に対する長さ）を１／６〜１／２とし、深さ（保護バンド５の径方向に対する長さ）を１／５〜１／２とすると良い。また、ＩＤタグ６は、雌継手４の金属部分との電波干渉を防ぐため、雌継手４の外周面から２ｍｍ以上離間して配置されていることが望ましい。また、ＩＤタグ６は、その全ての側面が樹脂７により被覆されている。この場合、ＩＤタグ６に対して高い防水性を付加することができる。
【００２１】
なお、段差部５０を有する保護バンド５は、段差部５０に対応する凸部を有する金型を用いて成形する、或いは保護バンド５を製造した後にその内周面５ａの一部を除去することにより得ることができる。また、ＩＤタグ６は、接着剤を介して保護バンド５に固定しても良く、或いは加硫接着により保護バンド５に固定しても良い。更に、ＩＤタグ６を樹脂７で被覆して段差部５０と同等の形状にしたＩＤタグ６を用いて、段差部５０に嵌合させて配置しても良い。この場合、接着剤を用いる必要がないため、生産性を向上させることができる。上述したいずれの場合であっても、ＩＤタグ６が配置された保護バンド５の内周面５ａは平滑に形成される。
【００２２】
上述した消防ホースでは、ホース本体１と、ホース本体１の両端部にそれぞれ取り付けられた一対の雄継手３と雌継手４からなる連結金具２とを有し、雌継手４の外周上に円環状の保護バンド５が付設された消防ホースにおいて、保護バンド５の内部にＲＦＩＤ用のＩＤタグ６が設置されているので、リーダライタで読み取るだけの簡単な操作により、効率的なホース管理を行うことができる。また、保護バンド５は雌継手４の外周に密着して雌継手４を保護する機能を有しており、ホースの使用時においても耐久性に優れているため、その保護バンド５に配置されたＩＤタグ６の損傷を防止することができる。
【００２３】
更に、大規模な火災現場には複数の消防署のポンプ車が集まることが多く、消火作業を行うにあたって他の消防署のホースと組み合わせ、ホースを延長して使用する場合があり、その際にはホースの取り違えが生じることがある。これに対して、本発明に係る消防ホースを用いれば、上述のような一度に多数のホースが存在する場合であっても正確かつ迅速にホースの情報を読み取ることができるため、ホースの取り違えを効果的に防止することができる。
【００２４】
上記消防ホースにおいて、ＩＤタグ６は電源を持たないパッシブ型タグであることが好ましい。パッシブ型タグの場合、電源を持たないためアクティブ型タグに比べてＩＤタグ６の寸法を小さくすることができるので、保護バンド５の耐久性を過度に低下させることがない。また、電源（電池）を必要としないため、長期間にわたって効率的なホース管理を行うことができる。
【００２５】
また、ＩＤタグ６は保護バンド５の内周面５ａに形成された段差部５０に配置されていると良い。このようにＩＤタグ６を段差部５０に配置することで、ＩＤタグ６を保護バンド５に固定する作業が容易になり、ホースの生産性を向上させることができる。
【００２６】
更に、ＩＤタグ６は樹脂７により被覆された状態で段差部５０に固定されていると良い。ＩＤタグ６を樹脂７により被覆することで、ＩＤタグ６に防水性を付加することができると共に、ＩＤタグ６の周辺に配置された金属製部品との電波干渉を回避することができる。
【００２７】
図５は本発明の実施形態からなる消防ホースの保護バンドの変形例を示すものである。図５に示すように、ＩＤタグ６は保護バンド５の内部に埋設されている。即ち、ＩＤタグ６は、保護バンド５の内周面５ａ及び外周面５ｂと離間して配置されている。特に、保護バンド５の耐久性を十分に確保するため、ＩＤタグ６は保護バンド５の径方向の略中央部に配置されていると良い。上述した保護バンド５は、保護バンド５用の未加硫ゴム材にＩＤタグ６を埋設した後、その未加硫ゴム材を加硫することによって得ることができる。この場合、保護バンド５用の未加硫ゴム材を加硫する際に高温になるため、それに埋設されるＩＤタグ６は耐熱性と柔軟性に優れた材料から構成される。
【００２８】
上述した消防ホースでは、ＩＤタグ６を保護バンド５の内部に埋設しているので、ＩＤタグ６を水から保護することができると共に、ＩＤタグ６の周辺に配置された金属製部品との電波干渉を回避することができる。
【００２９】
図３及び図４の実施形態では、段差部５０が保護バンド５の周方向に沿って湾曲した形状を有する例を示したが、これに限定されるものではなく、段差部５０はＩＤタグ６を収容することができる寸法や形状を適宜用いることができる。
【００３０】
また、図４の実施形態では、ＩＤタグ６の全ての側面が樹脂７により被覆されている例を示したが、これに限定されるものではなく、ＩＤタグ６の少なくとも径方向内側の側面（図４の側面６ａ）が樹脂７により覆われていれば良い。例えば、ＩＤタグ６の径方向内側の側面のみを樹脂７で被覆した場合、樹脂７で被覆する側面を減らすことができるので、生産性の向上を図ることができる。また、図４の場合と同様に、ＩＤタグ６に防水性を付加することができると共に、ＩＤタグ６の周辺に配置された金属製部品との電波干渉を回避することができる。
【符号の説明】
【００３１】
１  ホース本体
２  連結金具
３  雄継手
４  雌継手
５  保護バンド
６  ＩＤタグ
１０  消防ホース
【図１】
2020039422.tif 000003
【図２】
2020039422.tif 000004
【図３】
2020039422.tif 000005
【図４】
2020039422.tif 000006
【図５】
2020039422.tif 000007